(57)【要約】【課題】  表示効率の低下を抑えつつ誤表示を防止する。【解決手段】  投影器２０は、第１投影距離Ｐ１を有する第１投影光Ｌ１と第２投影光Ｌ２とを出射し、第１スクリーン２３は、投影器２０から第１投影距離Ｐ１離れて配置され、第１投影光Ｌ１を受光して第１画像Ｍ１を表示し、第２スクリーン２４は、第１スクリーン２３より投影器２０から離れた位置に配置され、負の屈折力を有する投影距離延長部２５は、投影器２０と第２スクリーン２４との間の第２投影光Ｌ２の経路上に配置され、第２投影光Ｌ２の投影距離Ｐを延長して第２スクリーン２４に結像させる。【選択図】  図１
2017142284.tif 000002
【特許請求の範囲】
【請求項１】
第１投影距離を有する投影光を出射する投影器と、
前記投影器から前記投影光に沿って前記第１投影距離離れて配置され、前記投影光のうち第１投影光を受光し、第１画像を表示する第１スクリーンと、
前記投影器から前記投影光に沿って前記第１スクリーンより離れて配置され、前記投影光のうち前記第１投影光と異なる第２投影光を受光し、第２画像を表示する第２スクリーンと、を備え、
前記投影器は、前記第１投影距離において、前記第１投影光と前記第２投影光との間に画像を表示しない空間を設け、
負の屈折力を有し、前記投影器と前記第２スクリーンとの間の前記第２投影光の経路上に配置され、前記第２投影光の投影距離を延長する投影距離延長部を備える、
ことを特徴とする表示装置。
【請求項２】
前記投影器と前記第１スクリーンとの間の前記投影光の経路上に、前記第１投影光と前記第２投影光とを前記第１スクリーンと前記第２スクリーンとにそれぞれ向けて反射する反射部をさらに備える、
ことを特徴とする請求項１に記載の表示装置。
【請求項３】
前記反射部は、前記第１投影光と前記第２投影光とを同一面上で反射する、
ことを特徴とする請求項２に記載の表示装置。
【請求項４】
前記投影器は、前記第１画像の解像度が前記第２画像の解像度より低くなるように前記投影光を出射する、
ことを特徴とする請求項１乃至３のいずれかに記載の表示装置。
【請求項５】
第１投影距離を有する投影光を出射する投影器と、
前記投影器から前記投影光に沿って前記第１投影距離離れて配置され、前記投影光のうち第１投影光を受光し、第１画像を表示する第１スクリーンと、
前記投影器から前記投影光に沿って前記第１スクリーンより離れて配置され、前記投影光のうち前記第１投影光と異なる第２投影光を受光し、第２画像を表示する第２スクリーンと、を備え、
前記投影器は、前記第１投影距離において、前記第１投影光と前記第２投影光との間に画像を表示しない空間を設け、
負の屈折力を有し、前記投影器と前記第２スクリーンとの間の前記第２投影光の経路上に配置され、前記第２投影光の投影距離を延長する投影距離延長部と、
前記第１スクリーンに表示された前記第１画像と前記第２スクリーンに表示された前記第２画像とを視認者前方に位置する透過反射部に向けて投射し、視認者に前記透過反射部を介して前記第１画像と前記第２画像とに基づく虚像を視認させる投射部と、を備え、
前記第１スクリーンは、前記視認者に向かう前記第１画像に基づく光の光路が、前記第２画像に基づく光の光路よりも長くなるように配置される、
ことを特徴とするヘッドアップディスプレイ。
【請求項６】
前記投影器と前記第１スクリーンとの間の前記投影光の経路上に、前記第１投影光と前記第２投影光とを前記第１スクリーンと前記第２スクリーンとにそれぞれ向けて反射する反射部をさらに備える、
ことを特徴とする請求項５に記載のヘッドアップディスプレイ。
【請求項７】
前記反射部は、前記第１投影光と前記第２投影光とを同一面上で反射する、
ことを特徴とする請求項６に記載のヘッドアップディスプレイ。
【請求項８】
前記投影器は、前記第１画像の解像度が前記第２画像の解像度より低くなるように前記投影光を出射する、
ことを特徴とする請求項５乃至７のいずれかに記載のヘッドアップディスプレイ。
【発明の詳細な説明】
【技術分野】
【０００１】
本発明は、複数の面に画像を表示可能な表示装置と、この表示装置が表示した画像を虚像として視認させるヘッドアップディスプレイに関するものである。
【背景技術】
【０００２】
従来のヘッドアップディスプレイは、例えば、特許文献１に開示されるものがある。このようなヘッドアップディスプレイは、１つのプロジェクタ（投影器）から出射される投影光を、プロジェクタからの距離が異なる第１スクリーンと第２スクリーンとのそれぞれに投影し、この第１スクリーンと第２スクリーンとに表示されたそれぞれの画像を視認者前方の透過反射部に映す。これにより、視認者からの距離が異なる位置に、第１スクリーンに表示された画像に基づく虚像と、第２スクリーンに表示された画像に基づく虚像と、を視認させるものである。
【先行技術文献】
【特許文献】
【０００３】
【特許文献１】特開２０１５−０１１２１１号公報
【発明の概要】
【発明が解決しようとする課題】
【０００４】
しかしながら、例えば、図６に示されるように、投影器６１０が、第１スクリーン６２０に向かう第１投影光６３０と、第１スクリーン６２０よりも投影器６１０から離れた位置に配置される第２スクリーン６４０に向かう第２投影光６５０とを出射する場合、第１スクリーン６２０に向かう第１投影光６３０と、第２スクリーン６４０に向かう第２投影光６５０との間には、画像を表示させない（第１投影光６３０，第２投影光６５０を投射しない）非表示領域Ｓを設けることが好ましい。具体的には、第１スクリーン６２０が設けられる平面における第１投影光６３０と第２投影光６５０との間に間隔Ｄを設けるように非表示領域Ｓが設定される。
【０００５】
このように、第１スクリーン６２０に向かう第１投影光６３０と、第２スクリーン６４０に向かう第２投影光６５０との間に、投影光を投射しない非表示領域Ｓ（間隔Ｄ）を設けることで、例えば、組み付け誤差や振動などに起因する投影器６１０とスクリーン（第１スクリーン６２０、第２スクリーン６４０）との間の相対的な位置関係が変わってしまった場合でも、第１投影光６３０又は第２投影光６５０の一部が他のスクリーンに投影されにくくすることができる。
【０００６】
しかしながら、このような構成の場合、投影器６１０が表示可能な領域のうち表示に使用しない領域を設けるため、投影器６１０の表示効率が低下する。
【０００７】
そこで、本発明は、この問題に鑑みてなされたものであり、表示効率の低下を抑えつつ誤表示を防止可能な表示装置及びヘッドアップディスプレイを提供するものである。
【課題を解決するための手段】
【０００８】
上記の課題を解決するため、本発明の第１の観点に係る表示装置は、
第１投影距離を有する投影光を出射する投影器と、
前記投影器から前記投影光に沿って前記第１投影距離離れて配置され、前記投影光のうち第１投影光を受光し、第１画像を表示する第１スクリーンと、
前記投影器から前記投影光に沿って前記第１スクリーンより離れて配置され、前記投影光のうち前記第１投影光と異なる第２投影光を受光し、第２画像を表示する第２スクリーンと、を備え、
前記投影器は、前記第１投影距離において、前記第１投影光と前記第２投影光との間に画像を表示しない空間を設け、
負の屈折力を有し、前記投影器と前記第２スクリーンとの間の前記第２投影光の経路上に配置され、前記第２投影光の投影距離を延長する投影距離延長部を備える、ものである。
【０００９】
また、本発明の第２の観点に係るヘッドアップディスプレイは、
第１投影距離を有する投影光を出射する投影器と、
前記投影器から前記投影光に沿って前記第１投影距離離れて配置され、前記投影光のうち第１投影光を受光し、第１画像を表示する第１スクリーンと、
前記投影器から前記投影光に沿って前記第１スクリーンより離れて配置され、前記投影光のうち前記第１投影光と異なる第２投影光を受光し、第２画像を表示する第２スクリーンと、を備え、
前記投影器は、前記第１投影距離において、前記第１投影光と前記第２投影光との間に画像を表示しない空間を設け、
負の屈折力を有し、前記投影器と前記第２スクリーンとの間の前記第２投影光の経路上に配置され、前記第２投影光の投影距離を延長する投影距離延長部と、
前記第１スクリーンに表示された前記第１画像と前記第２スクリーンに表示された前記第２画像とを視認者前方に位置する透過反射部に向けて投射し、前記視認者に前記透過反射部を介して前記第１画像と前記第２画像とに基づく虚像を視認させる投射部と、を備え、
前記第１スクリーンは、前記視認者に向かう前記第１画像に基づく光の光路が、前記第２画像に基づく光の光路よりも長くなるように配置される、ものである。
【発明の効果】
【００１０】
表示効率の低下を抑えつつ誤表示を防止可能であり、複数の表示距離を有する画像を表示できる。
【図面の簡単な説明】
【００１１】
【図１】本発明の第１実施形態のヘッドアップディスプレイの概略構成図。
【図２】同上実施形態における表示装置の構成と投影光の光路を示す図。
【図３】比較例の表示装置の構成と投影光の光路を示す図。
【図４】本発明の第２実施形態のヘッドアップディスプレイの概略構成図。
【図５】同上実施形態における表示装置の構成と投影光の光路を示す図。
【図６】従来の表示装置の構成と投影光の光路を示す図。
【発明を実施するための形態】
【００１２】
以下、添付図面に基づいて、本発明のヘッドアップディスプレイ（以下、ＨＵＤと記載）１及び表示装置１０の第１実施形態を説明する。
【００１３】
（第１実施形態）
ＨＵＤ１は、例えば自動車に搭載されるものであり、図１に示すように、表示装置１０と、平面鏡（投射部）３０と、凹面鏡（投射部）４０と、筐体５０と、制御基板（図示しない）と、を備える。ＨＵＤ１は、表示装置１０が表示する第１画像Ｍ１の第１表示光Ｎ１と、第２画像Ｍ２の第２表示光Ｎ２とを、平面鏡３０と凹面鏡４０とで車両のフロントガラス（透過反射部の一例）２に向けて出射する。フロントガラス２で反射した第１表示光Ｎ１、第２表示光Ｎ２は、それぞれ所定の空間からなるアイボックス３に配光される。視認者Ｅは、このアイボックス３内に視点を置くことで、第１画像Ｍ１の第１虚像Ｖ１と、第２画像Ｍ２の第２虚像Ｖ２とを視認することができる。後に詳述するが、表示装置１０は、視認者Ｅの視点に到達するまでの第１表示光Ｎ１の距離が、第２表示光Ｎ２の距離よりも長くなるように、第１画像Ｍ１及び第２画像Ｍ２を表示する。これにより、視認者Ｅは、第１画像Ｍ１に基づく第１虚像Ｖ１を、第２画像Ｍ２に基づく第２虚像Ｖ２よりも遠い位置に視認する。
【００１４】
筐体５０は、例えば黒色の遮光性合成樹脂から形成され、表示装置１０、平面鏡３０、凹面鏡４０を内部に収納し、外部に制御基板（図示しない）が取り付けられる。
筐体５０は、第１表示光Ｎ１、第２表示光Ｎ２をフロントガラス２に通過させる開口部５０ａを有し、この開口部５０ａは、透光性カバー５０ｂに覆われている。
【００１５】
表示装置１０は、奥行き方向の異なった位置に複数の画像をそれぞれ表示するものである。本実施形態の表示装置１０は、第１画像Ｍ１と、この第１画像Ｍ１よりも視認者側に配置される第２画像Ｍ２との２つの画像を表示する。なお、本発明の表示装置１０は、奥行き方向の異なった３以上の位置に画像をそれぞれ表示するものであってもよい。表示装置１０の構成については、後で詳述する。
【００１６】
平面鏡（投射部）３０は、例えば合成樹脂やガラス材料からなる基材の表面に、蒸着等の手段により反射膜を形成したものであり、表示装置１０の第１スクリーン２３，第２スクリーン２４が表示する第１画像Ｍ１，第２画像Ｍ２に基づく第１表示光Ｎ１，第２表示光Ｎ２を、凹面鏡４０に向けて反射する。
【００１７】
凹面鏡（投射部）４０は、例えば合成樹脂材料からなる基材の表面に、蒸着等の手段により反射膜を形成したものであり、平面鏡３０で反射した第１表示光Ｎ１，第２表示光Ｎ２をさらに反射させ、フロントガラス２に向けて出射する凹状の自由曲面を有するミラーである。凹面鏡４０で反射した第１表示光Ｎ１，第２表示光Ｎ２は、筐体５０の開口部５０ａに設けられた透光性カバー５０ｂを透過して、フロントガラス２に到達する。第１表示光Ｎ１，第２表示光Ｎ２は、フロントガラス２で視認者Ｅ側に反射され、第１表示光Ｎ１に基づく第１虚像Ｖ１及び第２表示光Ｎ２に基づく第２虚像Ｖ２を視認者Ｅに視認させる。なお、凹面鏡４０は拡大鏡としての機能を有し、表示装置１０に表示された第１画像Ｍ１、第２画像Ｍ２を拡大してフロントガラス２側へ反射してもよい。また、凹面鏡４０は、フロントガラス２が曲面であることに起因する第１虚像Ｖ１及び第２虚像Ｖ２の歪みを軽減する機能を有していてもよい。また、本発明のＨＵＤ１は、上述した平面鏡３０、凹面鏡４０などの反射型の光学部材の代わりにレンズなどの屈折型の光学部材やこれら以外の公知となっている光学部材を投射部として適用してもよく、また反射型、屈折型などの異なる機能を有する光学部材を組み合わせたものであってもよい。以下に、図１，図２を用いて表示装置１０の具体的な構成を説明する。図２は、投影器２０から出射された第１投影光Ｌ１、第２投影光Ｌ２の経路を説明するための図であり、特に、後述する表示器２００の所定の画素２０１ａ、２０２ａから出射される第１投影光Ｌ１の一部である結像光束２６の経路と、第２投影光Ｌ２の一部である結像光束２７の経路と、を説明する図である。
【００１８】
（表示装置１０）
表示装置１０は、図１に示すように、投影光Ｌを出射する投影器２０と、この投影器２０からの投影光Ｌを反射して折り返す第１フォールドミラー２１と、第１フォールドミラー２１からの投影光Ｌを反射して折り返す第２フォールドミラー２２と、投影光Ｌのうち第１投影光Ｌ１を裏面で受光し、表面に第１投影光Ｌ１が結像した第１画像Ｍ１を表示する第１スクリーン２３と、投影光Ｌのうち第２投影光Ｌ２を裏面で受光し、表面に第２投影光Ｌ２が結像した第２画像Ｍ２を表示する第２スクリーン２４と、投影器２０と第２スクリーン２４との間の前記第２投影光Ｌ２の経路上に配置され、第２投影光Ｌ２の投影距離Ｐを長くする投影距離延長部２５と、により構成される。
【００１９】
投影器２０は、図２に示すように、投影光Ｌを生成する表示器２００と、表示器２００が生成した投影光Ｌを概ね第１投影距離Ｐ１離れた位置に結像させる結像部２０４と、を備え、第１投影距離Ｐ１を有する投影光Ｌ（第１投影光Ｌ１、第２投影光Ｌ２）を第１フォールドミラー２１に向けて出射する。ここでいう投影距離Ｐとは、結像部２０４から投影光Ｌが結像する位置までの距離を示し、投射距離、結像距離像面距離などと呼ばれてもよい。また、投影器２０が出射する第１投影光Ｌ１と第２投影光Ｌ２との投影距離Ｐは、厳密に等しくなくてもよく、概ね等しければよい。具体的には、第１投影光Ｌ１と第２投影光Ｌ２との投影距離Ｐは、概ねピントの合った画像を生成することができる焦点深度Ｑ内であればよい。なお、焦点深度Ｑは、第１投影距離Ｐ１から投影器２０（結像部２０４）側の前方焦点深度Ｑａと、第１投影距離Ｐ１から投影器２０（結像部２０４）とは反対側の後方焦点深度Ｑｂとからなる。焦点深度Ｑは、具体的に例えば、前方焦点深度Ｑａが３ｍｍ、後方焦点深度が３ｍｍからなる６ｍｍ程の範囲を有する。なお、焦点深度は、像面深度と呼ばれてもよい。
【００２０】
表示器２００は、ＤＭＤ（Ｄｉｇｉｔａｌ  ＭｉｃｒｏＭｉｒｒｏｒ  Ｄｅｖｉｃｅ）やＬＣＯＳ（登録商標：Ｌｉｑｕｉｄ  Ｃｒｙｓｔａｌ  Ｏｎ  Ｓｉｌｉｃｏｎ）などの反射型表示素子やＴＦＴ（Ｔｈｉｎ  Ｆｉｌｍ  ｔｒａｎｓｉｓｔｏｒ）液晶パネルなどの透過型表示素子を有し、図示しない制御基板からの制御信号に基づき、第１画像Ｍ１を表示させるための第１投影光Ｌ１と第２画像Ｍ２を表示させるための第２投影光Ｌ２とを含む投影光Ｌを第１フォールドミラー２１に向けて出射する。
【００２１】
なお、表示器２００の表示領域は、第１投影光Ｌ１を生成する第１表示領域２０１と、第２投影光Ｌ２を生成する第２表示領域２０２と、第１表示領域２０１と第２表示領域２０２との間に位置し、表示を行わない第３表示領域２０３と、から構成される。図２では、図をわかりやすくするため、第１表示領域２０１のうち第３表示領域２０３との境界にある画素２０１ａから出射され、第１スクリーン２３上の最も第２スクリーン２４に近い点２３１で結像する結像光束２６の光路と、第２表示領域２０２のうち第３表示領域２０３との境界にある画素２０２ａから出射され、第２スクリーン２４上の最も第１スクリーン２３に近い点２４１で結像する結像光束２７の光路のみを図示し、それ以外の投影光Ｌの光路を省略している。
【００２２】
結像部２０４は、単数または複数のレンズからなり、表示器２００が生成した投影光Ｌを第１スクリーン２３、第２スクリーン２４に向けて拡大投射する。また、結像部２０４は、投影器２０から出射される投影光Ｌの投影距離Ｐを調整する。具体的には、結像部２０４は、投影光Ｌ（第１投影光Ｌ１、第２投影光Ｌ２）の投影距離Ｐを、結像部２０４から第１スクリーン２３までの距離に概ね等しい第１投影距離Ｐ１に調整する。言い換えると、結像部２０４は、結像部２０４から第１スクリーン２３上の点２３１に向けて集光する結像光束２６と、第２スクリーン２４上の点２４１に向けて集光する結像光束２７とが第１投影距離Ｐ１で収束するように、結像光束２６の拡がり角θ１と結像光束２７の拡がり角θ２とを、調整する。なお、結像部２０４は、単数または複数の曲面ミラーを含んでいてもよい。
【００２３】
第１フォールドミラー（反射部）２１は、投影器２０と第２フォールドミラー２２との間の投影光Ｌの経路上に配置され、投影器２０から出射された第１投影光Ｌ１及び第２投影光Ｌ２を同一面で第２フォールドミラー２２に向けて反射する屈折力を有さない平面鏡で構成される。第１フォールドミラー２１を設けることで投影光Ｌの光路が折り畳まれるため、表示装置１０の一次方向におけるパッケージサイズをよりコンパクトにすることができる。本実施形態の第１フォールドミラー２１は、表示器２００の画素２０１ａから出射される結像光束２６と、表示器２００の画素２０２ａから出射される結像光束２７とが分岐する（第１投影光Ｌ１と第２投影光Ｌ２とが分岐する）分岐点２８より投影器２０の近くに配置される。これにより第１フォールドミラー２１のサイズを小さく抑えることが可能である。
なお、投影器２０から第２フォールドミラー２２までの間に第１フォールドミラー２１を複数設けてもよく、また第１フォールドミラー２１を省略してもよい。また、第１フォールドミラー２１は、分岐点２８よりも投影器２０から離れて配置されてもよい。このように第１フォールドミラー２１が分岐点２８よりも投影器２０から離れて配置される場合、第１フォールドミラー２１は、第１投影光Ｌ１を受光するフォールドミラーと、第２投影光Ｌ２を受光するフォールドミラーとで分割して設けられていてもよい。
【００２４】
第２フォールドミラー２２は、第１フォールドミラー２１と第１スクリーン２３との間の投影光Ｌの経路上に配置され、投影器２０から出射された第１投影光Ｌ１及び第２投影光Ｌ２を第１スクリーン２３、第２スクリーン２４に反射する屈折力を有さない平面鏡で構成される。第２フォールドミラー２２を設けることで投影光Ｌの光路が折り畳まれるため、表示装置１０の一次方向におけるパッケージサイズはよりコンパクトになる。本実施形態の第２フォールドミラー２２は、第１投影光Ｌ１と第２投影光Ｌ２とが分岐する分岐点２８よりも投影器２０側に配置される。これにより第２フォールドミラー２２のサイズを小さく抑えることが可能である。
なお、第１フォールドミラー２１から第１スクリーン２３までの間に第２フォールドミラー２２を複数設けてもよく、また第２フォールドミラー２２を省略してもよい。また、第２フォールドミラー２２は、分岐点２８よりも投影器２０から離れて配置されてもよい。このように第２フォールドミラー２２が分岐点２８よりも投影器２０から離れて配置される場合、第２フォールドミラー２２は、第１投影光Ｌ１を受光するフォールドミラーと、第２投影光Ｌ２を受光するフォールドミラーとで分割して設けられていてもよい。
【００２５】
第１スクリーン２３は、結像部２０４から第１投影光Ｌ１の経路に沿って概ね第１投影距離Ｐ１離れて配置され、投影器２０から出射された第１投影光Ｌ１を背面で受光し、表面側に第１画像Ｍ１を表示（結像）する透過スクリーンであり、例えば、ホログラフィックディフューザー、マイクロレンズアレイ、拡散板等によって構成される。第１スクリーン２３が第１画像Ｍ１を表示すると、この第１画像Ｍ１を示す第１表示光Ｎ１は、投射部（平面鏡３０、凹面鏡４０）によりフロントガラス２に投射され、フロントガラス２により視認者Ｅの方向（アイボックス３）に反射される。これにより、視認者Ｅは、アイボックス３内に視点を置くことでフロントガラス２の向こう側に第１虚像Ｖ１を視認することができる。なお、第１スクリーン２３は、厳密に第１投影距離Ｐ１の位置に配設されずに、概ね第１投影距離Ｐ１の位置の近傍であればよい。具体的には、第１スクリーン２３は、第１投影距離Ｐ１を中心とした焦点深度Ｑ内に設けられ、概ねピントの合った第１画像Ｍ１を生成することができればよい。
【００２６】
第２スクリーン２４は、結像部２０４から第２投影光Ｌ２の経路に沿って第１投影距離Ｐ１よりも長い第２投影距離Ｐ２離れて配置され、投影器２０から出射された第２投影光Ｌ２を背面で受光し、表面側に第２画像Ｍ２を表示する透過スクリーンであり、第１スクリーン２３と同様、例えば、ホログラフィックディフューザー、マイクロレンズアレイ、拡散板等によって構成される。第２スクリーン２４が第２画像Ｍ２を表示すると、この第２画像Ｍ２を示す第２表示光Ｎ２は、後述の平面鏡３０、凹面鏡４０によりフロントガラス２に投射され、フロントガラス２により視認者Ｅの方向（アイボックス３）に反射される。これにより、視認者Ｅは、アイボックス３内に視点を置くことでフロントガラス２の向こう側に第２虚像Ｖ２を視認することができる。なお、第２スクリーン２４は、厳密に第２投影距離Ｐ２の位置に配設されずに、概ね第２投影距離Ｐ２の位置の近傍であればよい。具体的には、第２スクリーン２４は、第２投影距離Ｐ２を中心とした焦点深度Ｑ内に設けられ、概ねピントの合った第２画像Ｍ２を生成することができればよい。
【００２７】
図１に示すように、投影器２０を基準にした第１スクリーン２３までの第１投影光Ｌ１の光路長が、第２スクリーン２４までの第２投影光Ｌ２の光路長より短くなるように、第１スクリーン２３は、第２スクリーン２４よりも投影器２０の近傍に配置される。このような第１スクリーン２３、第２スクリーン２４の配置においては、第１スクリーン２３から視認者Ｅに向けて進行する第１表示光Ｎ１の光路長は、第２スクリーン２４から視認者Ｅに向けて進行する第２表示光Ｎ２の光路長よりも長くなる。それゆえ、視認者Ｅから第１虚像Ｖ１が表示される位置までの距離（表示距離）は、視認者Ｅから第２虚像Ｖ２が表示される位置までの距離（表示距離）よりも長くなるので、本実施形態におけるＨＵＤ１は、第１虚像Ｖ１が第２虚像Ｖ２よりも遠くの位置にあるように表示することができる。なお、本実施形態においては、第１虚像Ｖ１の表示距離は５ｍであり、第２虚像Ｖ２の表示距離は２ｍである。
【００２８】
また、第１スクリーン２３は、法線方向が、投射部（平面鏡３０、凹面鏡４０）と透過反射部（フロントガラス２）を介してアイボックス３に向かう第１表示光Ｎ１の光軸に対して平行なるように配置され、そして、第２スクリーン２４も同様に、法線方向が、投射部（平面鏡３０、凹面鏡４０）と透過反射部（フロントガラス２）を介してアイボックス３に向かう第２表示光Ｎ２の光軸に対して平行になるように配置されている。なお、第１スクリーン２３または／および第２スクリーン２４は、法線方向が、第１表示光Ｎ１または／および第２表示光Ｎ２の光軸に対して所定の角度を有するように配置してもよい。このような場合、ＨＵＤ１が生成する第１虚像Ｖ１または／および第２虚像Ｖ２は、鉛直方向から傾いて視認される。
【００２９】
投影距離延長部２５は、負の屈折力を有する単数の片凹レンズまたは両凹レンズで構成され、第１投影距離Ｐ１と分岐点２８との間の第２投影光Ｌ２の経路上に配置され、第２投影光Ｌ２の結像光束２７の拡がり角θ２を、小さい角度θ３にすることで、第２投影光Ｌ２の投影距離Ｐを、第１投影距離Ｐ１から延長した第２投影距離Ｐ２に調整する。これにより、第２投影光Ｌ２は、第１スクリーン２３より投影器２０から離れて配置された第２スクリーン２４上にピントが合った状態で第２画像Ｍ２を表示する（結像する）。
なお、投影距離延長部２５は、複数種類のレンズを組み合わせて全体として負の屈折力を有するレンズ群で構成されてもよい。
【００３０】
以上に説明した表示装置１０によれば、第１投影光Ｌ１と第２投影光Ｌ２との間の表示を行わない空間Ｓを広く設けることができる。具体的には、第１投影距離Ｐ１における第１投影光Ｌ１と第２投影光Ｌ２との間に間隔Ｄを設けることができる。
【００３１】
（比較例）
以下に比較例として本発明を用いない表示装置５００を、図３を用いて説明する。
図３は、比較例の表示装置５００における第１投影光Ｋ１（結像光束５３０）と、第２投影光Ｋ２（結像光束５４０）との光路を示す図である。
【００３２】
比較例の表示器５２０が、本実施形態の表示器２００と同様の広さの、第１投影光Ｋ１を生成する第１表示領域５２１と、第２投影光Ｋ２を生成する第２表示領域５２２と、第１表示領域５２１と第２表示領域５２２との間に位置し、表示を行わない第３表示領域５２３と、から構成されると仮定する。
また、比較例における結像部５２４は、第１投影光Ｋ１の投影距離Ｐを第１スクリーン５５０に結像させる第１投影距離Ｐ１に調整し、第２投影光Ｋ２の投影距離Ｐを第２スクリーン５６０に結像させる第２投影距離Ｐ２に調整することが可能であると仮定する。
【００３３】
比較例の表示装置５００は、結像部５２４から第２スクリーン５６０に向かう第２投影光Ｋ２における結像光束５４０の拡がり角θ４は、本発明の実施形態における投影距離延長部２５を通過した後の結像光束２７の拡がり角θ２，θ３より大きくなる。したがって、比較例の表示装置５００は、結像部５２４から第２スクリーン５６０に向かう第２投影光Ｋ２の結像光束５４０の拡がり角θ４が大きいため、第１投影光Ｋ１と第２投影光Ｋ２との間の空間Ｓ１が本発明の実施形態における第１投影光Ｌ１と第２投影光Ｌ２との間の空間Ｓより狭くなる。また、第１投影光Ｋ１と第２投影光Ｋ２との間隔Ｄ１が、本発明の実施形態における第１投影光Ｌ１と第２投影光Ｌ２との間隔Ｄより狭くなる。
【００３４】
すなわち、本発明の第１実施形態の表示装置１０は、表示器２００における表示を行わない第３表示領域２０３が少なくても第１投影光Ｌ１と第２投影光Ｌ２との間隔Ｓを十分広く保つことができるため、表示器２００の表示領域の利用効率を向上させつつ誤表示を防止することができる。
【００３５】
以下に、図４，図５を用いて、本発明の表示装置及びヘッドアップディスプレイの第２実施形態を説明する。なお、第１実施形態と同じ構成については、同じ符号を付し、細かい説明は省略する。
図４は、第２実施形態におけるＨＵＤ１ａの概略的な構成を示す図であり、図５は、第２実施形態の表示装置１０ａにおける光学部材の配置と、第１投影光Ｌ１（結像光束２６）、第２投影光Ｌ２（結像光束２７）の光路を説明する図である。
【００３６】
（第２実施形態）
第２実施形態の表示装置１０ａは、投影距離延長部２５ａが第２フォールドミラー２２ａ上の反射曲面２２２で構成されている点で第１実施形態と異なる。
【００３７】
第２実施形態の第２フォールドミラー２２ａは、第１投影光Ｌ１と第２投影光Ｌ２とが分岐する分岐点２８よりも投影器２０から離れて配置され、第１投影光Ｌ１を反射する屈折力を有さない反射平面２２１と、第２投影光Ｌ２を反射する負の屈折力を有し、投影距離延長部２５ａとして機能する反射曲面２２２と、を少なくとも含む。反射曲面２２２（投影距離延長部２５ａ）は、負の屈折力を有する凸状の自由曲面などで形成され、結像光束２７の初期の拡がり角θ２を、小さい角度θ３ａにすることで、第２投影光Ｌ２の投影距離Ｐを、第１投影距離Ｐ１を延長した第２投影距離Ｐ２に調整する。これにより、第２投影光Ｌ２は、第１スクリーン２３より投影器２０から離れて配置された第２スクリーン２４上にピントが合った状態で第２画像Ｍ２を表示する（結像する）。
なお、第１フォールドミラー２１から第１スクリーン２３までの間に第２フォールドミラー２２ａを複数設けてもよく、第２投影光Ｌ２の投影距離Ｐを延長させるのに必要とされる負の屈折力を複数の第２フォールドミラー２２ａの屈折力で構成してもよい。また、第２フォールドミラー２２は、第１投影光Ｌ１を受光するフォールドミラーと、第２投影光Ｌ２を受光するフォールドミラーとで分割して設けられていてもよい。
【００３８】
以上に説明したように、本発明のＨＵＤ１は、第１投影距離Ｐ１を有する投影光Ｌを出射する投影器２０と、投影器２０から投影光Ｌに沿って第１投影距離Ｐ１離れて配置され、投影光Ｌのうち第１投影光Ｌ１を受光し、第１画像Ｍ１を表示する第１スクリーン２３と、投影器２０から投影光Ｌに沿って第１スクリーン２３より離れて配置され、投影光Ｌのうち第１投影光Ｌ１と異なる第２投影光Ｌ２を受光し、第２画像Ｍ２を表示する第２スクリーン２４と、負の屈折力を有し、投影器２０と第２スクリーン２４との間の第２投影光Ｌ２の経路上に配置され、第２投影光Ｌ２の投影距離Ｐを長くする投影距離延長部２５，２５ａと、第１スクリーン２３に表示された第１画像Ｍ１と第２スクリーン２４に表示された第２画像Ｍ２とを視認者前方に位置するフロントガラス２に向けて投射し、視認者Ｅにフロントガラス２を介して第１画像Ｍ１と第２画像Ｍ２とに基づく第１虚像Ｖ１、第２虚像Ｖ２を視認させる投射部３０，４０と、を備え、第１スクリーン２３は、視認者Ｅに向かう第１画像Ｍ１に基づく第１表示光Ｎ１の光路が、第２画像Ｍ２に基づく第１表示光Ｎ１の光路よりも長くなるように配置される。
【００３９】
また、上述した第１実施形態、第２実施形態では、第２スクリーン２４に表示される第２画像Ｍ２の解像度が、第１スクリーン２３に表示される第１画像Ｍ１の解像度に比べて低くなってしまう。また、第２画像Ｍ２に基づく第２虚像Ｖ２は、第１画像Ｍ１に基づく第１虚像Ｖ１よりも視認者Ｅの近くに視認されるため、第２虚像Ｖ２の解像度の低さが際立ってしまうおそれがある。
【００４０】
しかし、ＨＵＤ１に設けられる前記制御基板（制御部）は、第１画像Ｍ１の解像度が第２画像Ｍ２の解像度より低くなるように、投影器２０を制御して投影光Ｌを出射させることにより上記問題を解決することができる。具体的には、前記制御部は、画像データを記憶する図示しないメモリを有し、予め解像度の低い第１画像Ｍ１の画像データを記憶し、この画像データに基づき投影器２０を制御する。また、前記制御部は、画像データを入力する場合、入力した第１画像Ｍ１の画像データを解像度の低い画像データに加工した後、この加工したこの画像データに基づき投影器２０を制御してもよい。
【００４１】
なお、具体的に第１画像Ｍ１の解像度を低くするとは、視認者Ｅが視認する第１画像Ｍ１に基づく第１虚像Ｖ１の解像度が、第２画像Ｍ２に基づく第２虚像Ｖ２の解像度に近づくように低くすることを示す。さらに好ましくは、視認者Ｅが視認する第１虚像Ｖ１の解像度が、第２虚像Ｖ２の解像度に等しくなるように、前記制御部は、第２画像Ｍ２の解像度より低くする。
【００４２】
以上の説明では、本発明の理解を容易にするために、重要でない公知の技術的事項の説明を適宜省略した。
【符号の説明】
【００４３】
１          ＨＵＤ（ヘッドアップディスプレイ）
２          フロントガラス（透過反射部）
１０、１０ａ  表示装置
２０          投影器
２１          第１フォールドミラー（反射部）
２２、２２ａ  第２フォールドミラー（反射部）
２３          第１スクリーン
２４          第２スクリーン
２５、２５ａ  投影距離延長部
２６          結像光束
２７          結像光束
２８          分岐部
３０          平面鏡（投射部）
４０          凹面鏡（投射部）
２００          表示器
２０１          第１表示領域
２０１ａ        画素
２０２          第２表示領域
２０２ａ        画素
２０３          第３表示領域
２０４          結像部
２２１          反射平面
２２２          反射曲面
Ｄ              間隔
Ｅ              視認者
Ｌ              投影光
Ｌ１            第１投影光
Ｌ２            第２投影光
Ｍ              画像
Ｍ１            第１画像
Ｍ２            第２画像
Ｎ              表示光
Ｎ１            第１表示光
Ｎ２            第２表示光
Ｐ              投影距離
Ｐ１            第１投影距離
Ｐ２            第２投影距離
Ｑ              焦点深度
Ｑａ            前方焦点深度
Ｑｂ            後方焦点深度
Ｓ              非表示領域（空間）
Ｖ１            第１虚像
Ｖ２            第２虚像
θ１            拡がり角（角度）
θ２            拡がり角（角度）
θ３、θ３ａ    拡がり角（角度）
【図１】
2017142284.tif 000003
【図２】
2017142284.tif 000004
【図３】
2017142284.tif 000005
【図４】
2017142284.tif 000006
【図５】
2017142284.tif 000007
【図６】
2017142284.tif 000008